(57)【要約】【課題】靴下等を実際に装着したような感覚を得ることができる靴下等の展示方式及びその展示具を提供すること。【解決手段】展示具１０は、支持部２２、腕部２４を有する支持体２０、及び取付け部材３０からなり、支持部２２によって脚型Ｄを支持し、取付け部材３０によって見る者の目線に合わせた位置に取付けることができるようになっている。支持部２２を、ほぼＵ字形としたことにより、靴下等の展示物Ｓを装着した脚型Ｄを挟むように支え、展示物Ｓを実際に装着した状態を見せることができるようにした。【選択図】図４
2007044150.tif 000002
【特許請求の範囲】
【請求項１】
靴下等の展示物を装着した脚型をほぼＵ字形の支持部を有する支持体によって上下方向に支持することを特徴とする、
靴下等の展示方式。
【請求項２】
靴下等の展示物を装着した脚型を支持するための支持体と該支持体の取付け部材とからなり、
前記支持体がほぼＵ字形の支持部を有することを特徴とする、
展示用具。
【請求項３】
前記支持体が前記支持部と棒状の腕部からなる、請求項２の展示用具。
【請求項４】
前記支持部が支持補助部材を具える、請求項２又は３の展示用具。
【請求項５】
前記取付け部材がねじを具える、請求項２から４のいずれかの展示用具。
【請求項６】
前記支持部が取付け部材に対して傾斜している、請求項２から５のいずれかの展示用具。
【発明の詳細な説明】
【技術分野】
【０００１】
本発明は、靴下等の展示方式及びそのための展示具に関する。
【背景技術】
【０００２】
従来、靴下（ストッキングを含む。）の販売等を目的とする展示において、購入者に、実際に靴下等を身体に着用した場合にどのように見えるかを見せるために考えられた方式がある。
【０００３】
その一例としては、靴下等を中空の筒体に装着し、その筒体をボードに設けられた孔に挿入して固定することにより、靴下等を並列して展示できるようにした靴下類の見本展示具がある（例えば、特許文献１参照。）。
この従来の靴下類の見本展示具によれば、購入者が、模様及び色彩等を、比較的容易に把握することができる。
【０００４】
また、図６は、従来の陳列用什器の斜視図である。
この陳列用什器は、本体を壁に係止するための係止部２’と、靴等の物品を載置するための載置板１’からなり、この載置板１’に物品を保持するための物品保持手段１２’を設けたものである（例えば、特許文献２参照。）。
この従来の陳列用什器によれば、載置板１’が目立たないように靴等の商品を陳列することができるとともに、載置板を傾斜させることにより商品の上面を見やすく展示することができる。
【特許文献１】特開２００３−４０６号公報
【特許文献２】特開２００４−２４２８６１号公報
【発明の開示】
【発明が解決しようとする課題】
【０００５】
ところが、筒体をボードに固定した靴下類の見本用展示具の場合、靴下等を装着する筒体の形状が、ボードに設けられた孔に挿入することができるような形状に限定され、また、単なる筒体であるため、靴下等を実際に装着した感覚を得られず、しかも、筒体が倒れ易いという問題がある。
【０００６】
また、係止部と載置板からなる陳列用什器の場合、展示するための商品は、載置板に載置することができる靴のようなものに限定されてしまうため、例えば、靴下のような商品を展示する場合には不適である。
【０００７】
そこで、本発明は、従来技術の前述の課題を解決することを目的とする。
【課題を解決するための手段】
【０００８】
本発明は、靴下等の展示物を装着した脚型をほぼＵ字形の支持部を有する支持体によって上下方向に支持することを特徴とする靴下等の展示方式、及び、
靴下等の展示物を装着した脚型を支持するための支持体と該支持体の取付け部材とからなり、
前記支持体がほぼＵ字形の支持部を有することを特徴とする展示用具により、前記課題を解決した。
【発明の効果】
【０００９】
本発明によれば、人体を模した脚型を使用するので、靴下等を実際に装着した状態を見せることができる効果があり、しかも、展示具の取付け位置は任意に選ぶことができるから、見る者の目線に合わせた位置に展示物を展示することができる効果がある。
【発明を実施するための最良の形態】
【００１０】
以下、図１から図５を参照して、本発明の実施の形態を説明する。
図１は、本発明で用いるの展示具１０の正面図である。
図２は、展示具１０を横から見た図である。
図３は、展示具１０の斜視図である。
図４は、展示具１０を用いて展示物を展示した方式の斜視図である。
図５は、複数の展示具１０を用いて展示物を展示した方式の正面図である。
【００１１】
図１から図３において、展示具１０は、支持部２２、腕部２４を有する支持体２０、及び取付け部材３０からなり、支持部２２によって靴下等の展示物Ｓを装着した脚型Ｄ支持し、取付け部材３０によって展示具１０を所望の位置に取付けることができるようになっている。
【００１２】
支持体２０は、棒状の腕部２４と、ほぼＵ字形をなすように曲がった形状の支持部２２を有し、ほぼ音叉形状である。なお、支持体２０は、それぞれが別体の腕部２４と支持部２２を、腕部２４の端部と支持部２２の中間部において、溶接等の方法により固着するようにしてもよいが、その他に、例えば、支持体２０は、腕部２４及び支持部２２が一体的に成形されたものでもよい。また、支持体２０は、支持部２２のみで構成してもよい。
【００１３】
支持部２２がＵ字形をなすように曲がった形状であることから、展示物を装着した脚型Ｄを支持部２２において挟むように支えることができる。すなわち、展示物を装着した脚型Ｄを、支持部２２によって、吊るすように展示することができる。
【００１４】
支持体２０の材質としては、例えば、鉄、合成樹脂等が挙げられるが、これに限定されず、要は、展示物を支えることができるような強度があればよい。
【００１５】
支持部２２の両端部には、支持補助部材４０，４０が設けられている。この支持補助部材４０，４０を設けることにより、例えば、商品である展示物Ｓの表面を傷付けないようにすることができる。なお、この支持補助部材４０，４０の材質としては、例えば、塩化ビニル、ゴム、及びエラストマ等の天然・合成樹脂等が挙げられるが、これに限定されない。
【００１６】
次に、断面がほぼコ字状をなす取付け部材３０は、図３に示すように、ねじ孔３０ａを有し、ねじ３２を具える。
取付け部材３０と腕部２４を、溶接等の方法により固着することにより、取付け部材３０と支持体２０が一体化されている。なお、取付け部材３０と支持体２０は、例えば、嵌合するようにして取外し可能な構成にしてもよい。また、取付け部材３０を、ほぼＵ字形をなす支持部２２に対して傾斜した角度で取付けることにより、展示物を斜めに展示するなど、展示態様を変えることができる。
【００１７】
通常、展示具１０は、図４に示すように、水平に渡した板状部材Ｐに取付けられ、そして、展示物を装着した脚型Ｄを、支持部２２において、吊るすように支えて展示するが、展示具１０を板状部材Ｐに取付ける際は、ねじ３２を調節し、取付け部材３０を板状部材Ｐにしっかりと固定することにより、展示具１０を取付ける。
【００１８】
なお、取付け部材３０は、ねじを用いたものの他に、例えば、クリップ状の弾性を利用したものでもよい。要は、所望の場所に、展示具１０をしっかりと固定することができるものであればよい。
【００１９】
以上の構成により、展示具１０は、図４に示すように、支持部２２の端部間の幅Ｄ１よりも小さい幅を一部分だけにでも有する脚型であれば、支持部２２が脚型を支えることにより、展示物Ｓを装着した脚型Ｄを吊るすように展示することができる。
【００２０】
また、図５に示すように、複数の展示具１０を異なる場所に展示することができる。従って、例えば、靴下、ストッキング、或いは、靴等を装着させた脚型Ｄを目線に合わせて展示し、そして、その近傍に、包装された状態の商品を展示することにより、購入者は、靴下及び靴等を実際に装着した状態を容易に自分の目で認識することができる。
【００２１】
なお、靴下等を装着させる脚型は周知であり、種々の材料のものが提供されているので、それを利用すればよい。
また、展示物が、例えば、パンティストッキングのように、左右一体となっているものである場合、展示物を装着させる脚型として、上端に孔を有する中空形状のもの（図示せず。）を利用することにより、展示物の露出させる箇所以外の部分を、脚型の中空部分に収納することができる。
【図面の簡単な説明】
【００２２】
【図１】本発明で用いる展示具の正面図。
【図２】展示具を横から見た図。
【図３】展示具の斜視図。
【図４】本発明の展示具を用いて展示物を展示した展示方式の斜視図。
【図５】複数の展示具を用いて展示物を展示した展示方式の正面図。
【図６】従来の陳列用什器の斜視図。
【符号の説明】
【００２３】
１０：展示具
２０：支持体
２２：支持部（支持体）
２４：腕部（支持体）
３０：取付け部材
３２：ねじ
Ｄ：脚型
Ｓ：展示物
【図１】
2007044150.tif 000003
【図２】
2007044150.tif 000004
【図３】
2007044150.tif 000005
【図４】
2007044150.tif 000006
【図５】
2007044150.tif 000007
【図６】
2007044150.tif 000008